(57)【要約】【課題】利用者が指定する表示態様に従って画像処理機能ごとの累積利用回数を表示可能とすることで、利用状況の把握が容易な画像処理装置を提供すること。【解決手段】本発明は、複数の画像処理機能を備えた画像処理装置１であって、複数の画像処理機能ごとの累積利用回数をカウントするカウンタ１４と、カウンタ１４によってカウントした累積利用回数の表示態様情報を登録する登録部１５と、登録部１５によって登録した表示態様情報に従って累積利用回数の一覧を表示する操作パネル（表示手段）２１とを備えるものである。【選択図】図１
2007033755.tif 000002
【特許請求の範囲】
【請求項１】
複数の画像処理機能を備えた画像処理装置であって、
前記複数の画像処理機能ごとの累積利用回数をカウントするカウンタと、
前記カウンタによってカウントした累積利用回数の表示態様情報を登録する登録手段と、
前記登録手段によって登録した前記表示態様情報に従って前記累積利用回数の一覧を表示する表示手段と
を備えることを特徴とする画像処理装置。
【請求項２】
複数の画像処理機能を備えた画像処理装置であって、
前記複数の画像処理機能ごとの累積利用回数をカウントするカウンタと、
前記カウンタによってカウントした累積利用回数の表示態様情報を登録する登録手段と、
前記登録手段によって登録した前記表示態様情報に従って前記累積利用回数の一覧を画像情報として生成する画像情報生成手段と
を備えることを特徴とする画像処理装置。
【請求項３】
前記登録手段は、複数の前記表示態様情報を登録可能となっており、
前記表示手段は、前記登録手段によって登録された複数の前記表示態様情報のうち予め決められた一つに従い前記累積利用回数の一覧を表示する
ことを特徴とする請求項１記載の画像処理装置。
【請求項４】
前記登録手段は、複数の前記表示態様情報を登録可能となっており、
前記画像情報生成手段は、前記登録手段によって登録された複数の前記表示態様情報のうち予め決められた一つに従い前記累積利用回数の一覧を画像情報として生成する
ことを特徴とする請求項２記載の画像処理装置。
【請求項５】
前記表示態様情報は、前記複数の画像処理機能ごとに累積利用回数を表示対象とするか否かの指定と、表示順位の指定とを含む
ことを特徴とする請求項１または２記載の画像処理装置。
【発明の詳細な説明】
【技術分野】
【０００１】
本発明は、複数の画像処理機能を備えた画像処理装置に関し、特に画像処理機能ごとに累積利用回数をカウントする画像処理装置に関する。
【背景技術】
【０００２】
画像処理装置においては、利用状況に応じた料金請求などの目的で、累積利用回数をカウントするカウンタを備える構成が一般的である。特に、画像処理装置の機能が豊富になり、またカウンタが電子化されるに伴い、複数の画像処理機能について各々カウンタを設けるようになっている。近年では、料金管理以外にも省資源の観点から用紙の消費を抑える機能などにも関心が高まっており、益々カウンタの種類が増える傾向にある。
【０００３】
ここで、従来の画像処理装置においては、画像処理を行った枚数などをカウントして、用紙にプリントアウトしたり、モニタに出力したり、画像形成モードごとの累積画像形成回数をカウントして出力する技術も開示されている（例えば、特許文献１参照。）。
【０００４】
【特許文献１】特開平９−１２７８３４号公報
【発明の開示】
【発明が解決しようとする課題】
【０００５】
しかしながら、従来の画像処理装置では、全てのカウンタ情報を画一的に表示するため、利用者にとって状況の把握が行いにくいという問題が生じている。また、画像処理装置が備える画像出力手段によってカウンタ情報を出力する場合には、情報量に応じた料金が発生する場合があること、また、画像処理装置が備える表示手段によってカウンタ情報を表示する場合には一度に表示できる情報量に限りがあることなどから、不要な情報は省かれることが望ましい。従来の画像処理装置では、カウンタ情報に対して柔軟な出力態様の設定ができず、このような要求に応えることができない。
【０００６】
本発明は、利用者が指定する表示態様に従って画像処理機能ごとの累積利用回数を表示可能とすることで、利用状況の把握が容易な画像処理装置を提供することを目的とする。
【課題を解決するための手段】
【０００７】
本発明は、このような目的を達成するために成されたものである。すなわち、本発明は、複数の画像処理機能を備えた画像処理装置であって、複数の画像処理機能ごとの累積利用回数をカウントするカウンタと、カウンタによってカウントした累積利用回数の表示態様情報を登録する登録手段と、登録手段によって登録した表示態様情報に従って累積利用回数の一覧を表示する表示手段とを備えるものである。
【０００８】
このような本発明では、カウンタによってカウントした累積利用回数を、予め設定した表示態様情報に従って一覧表示するため、ユーザの好みに応じた表示態様によって、ユーザが必要とするカウント情報のみを、所望の順番で表示できるようになる。
【０００９】
また、本発明は、複数の画像処理機能を備えた画像処理装置であって、複数の画像処理機能ごとの累積利用回数をカウントするカウンタと、カウンタによってカウントした累積利用回数の表示態様情報を登録する登録手段と、登録手段によって登録した表示態様情報に従って累積利用回数の一覧を画像情報として生成する画像情報生成手段とを備えるものである。
【００１０】
このような本発明では、カウンタによってカウントした累積利用回数を、予め設定した表示態様情報に従って一覧の画像情報として生成するため、ユーザの好みに応じた表示態様によって、ユーザが必要とするカウント情報のみを、所望の順番で表示する情報を生成できるようになる。
【発明の効果】
【００１１】
したがって、本発明によれば、複数の画像処理機能ごとにカウントした累積利用回数のうち、ユーザが必要とするカウント情報のみを表示できるため、ユーザにとって不要なカウント情報が表示されず、利用状況の把握を容易に行うことが可能となる。また、必要なカウント情報のみを出力対象にできるため、情報量に応じた料金が発生する場合や限られた表示範囲に出力する場合でも、必要に応じた節約を行うことが可能となる。
【発明を実施するための最良の形態】
【００１２】
以下、本発明の実施の形態を図に基づき説明する。図１は、本実施形態に係る画像処理装置を説明するブロック図である。すなわち、本実施形態に係る画像処理装置１は、機能のアイコン表示やパラメータの表示、およびアイコンの選択、パラメータの指定を受け付ける操作パネル（表示手段）２０を備えたもので、主としてコピー機能、ファクシミリ機能、スキャン機能、電子メール機能等の複数の画像処理機能を実行可能な装置（例えば、複合機）から成るものである。
【００１３】
画像処理装置１は、操作パネル２０のほか、コントローラ１０、画像入力部３０および画像出力部４０を備えており、操作パネル２０のタッチパネルディスプレイ２１に表示されるボタンの選択、ボックスへのパラメータ入力を受け付けて、所望の機能を実行する。
【００１４】
コントローラ１０は、操作パネル２０、画像入力部３０および画像出力部４０を制御する部分であり、パネルＩ／Ｆ（インタフェース）１１、メインＣＰＵ１２、システムメモリ１３、カウンタ１４、登録部１５、入力部Ｉ／Ｆ１６、出力部Ｉ／Ｆ１７、画像情報生成部１８によって構成され、主として操作パネル２０に対するデータ入出力制御をパネルＩ／Ｆ１１で行い、画像入力部３０に対するデータ入出力制御を入力部Ｉ／Ｆ１６で行い、画像出力部４０に対するデータ入出力を出力部Ｉ／Ｆ１７で行う。
【００１５】
本実施形態の画像処理装置１では、複数の画像処理機能に応じて各部の制御処理を行い、カウンタ１４によって各画像処理機能ごとの累積利用回数をカウントしている。このカウントした累積利用回数を、登録部１５で予め登録された表示態様情報に従って操作パネル２０のタッチパネルディスプレイ２１に表示したり、画像出力部４０からレポートとして用紙に印刷出力する点に特徴がある。
【００１６】
ここで、登録部１５によって登録される表示態様情報とは、複数の画像処理機能ごとに累積利用回数を表示対象とするか否かの指定と、表示順位の指定とを含む情報である。図２は、画像処理機能と表示対象および表示順位との対応を示す図である。登録部１５では、図２のような対応を表示態様情報として所定の記憶部に記憶する。
【００１７】
図２に示す例では、画像処理機能のカウント対象となる大項目として、「プリンタ関連カウンタ」、「スキャナ関連カウンタ」、「ファクス関連カウンタ」が設けられており、各々中項目、小項目に分かれて累積利用回数や表示対象とするか否か、表示順位の指定が行われている。
【００１８】
図２のうちカウンタ１４によって累積利用回数がカウントされるのは小項目である。大項目および中項目については表示対象とするか否かの指定と表示順位の指定とが行われ、小項目については累積利用回数のカウントと、表示対象とするか否かの指定、および表示順位の指定が行われる。
【００１９】
なお、累積利用回数がカウントされない項目については「−」、カウントされる項目には具体的なカウントが記憶される。また、表示対象とするか否かの指定では、図中「○」印の項目が表示対象とする項目、図中「×」印の項目が表示対象としない項目である。また、表示順位は表示対象が「○」印となる項目には表示順位が番号で示され、数字の小さいものほど表示順位が上（優先度が高い）となることを示している。
【００２０】
本実施形態では、複数の項目のうち、大項目「プリンタ関連カウンタ」、中項目「プリントページ数」、その中の中項目である「カラー」、その中の小項目である「総ページ数」、中項目「白黒」、その中の小項目である「総ページ数」、中項目「プリント枚数」、その中の小項目である「総プリント枚数」、「両面プリント枚数」、「うら紙プリント枚数」、大項目「ファックス関連カウンタ」、その中の小項目「ファクス送信回数」、中項目「ファックス受信回数」、その中の小項目「総受信回数」、中項目「ファックス受信ページ数」、その中の小項目「総受信ページ数」、「ｉＦＡＸ受信回数」、「ｉＦＡＸ受信ページ数」が表示対象となっている。
【００２１】
さらに、上記表示対象となっている各項目に各々表示順位（図２の例では、１〜１８）が付されている。これら表示対象とするか否かおよび表示順位の指定（表示態様情報）はユーザが操作パネル２０のタッチパネルディスプレイ２１を操作して登録部１５が受け付け、所定の記憶部に記憶しておく。
【００２２】
カウンタ１４は、表示対象となっているか否かにかかわらず、カウントできる項目は全てカウントして、所定の記憶部に記憶しておく。そして、ユーザが累積利用回数の出力（表示や印刷、情報としての生成）を指示した場合、メインＣＰＵ１２のプログラム処理によって、登録部１５で登録された表示態様情報に従い、表示対象となっている項目の累積利用回数を表示順位の順番に出力する処理を行う。
【００２３】
図３は、図２に示す表示対象の項目を指定された表示順位に表示した例を示す図である。これにより、ユーザが予め指定した表示対象の項目が表示順位の順番に沿って上から順に表示されることになる。この表示は、例えば操作パネル２０のタッチパネルディスプレイ２１に表示される。タッチパネルディスプレイ２１では限られた表示範囲となるため、表示範囲に収まらない項目についてはスクロールやページ送りによって表示される。したがって、ユーザにとって必要な項目のみを表示対象とすれば目的の項目の累積利用回数を素早く参照できるとともに、表示順位を上げておくとスクロール等をしなくても即座に参照できるようになる。
【００２４】
また、レポートとして用紙に印刷出力する場合には、図３に示すような表示対象の項目および表示順位に従ったレイアウトで画像出力部４０から用紙に印刷出力される。また、情報として生成する場合には、画像情報生成部１８によって図３に示すような表示対象の項目および表示順位に従った電子的なデータを生成し、所定の記憶部の所定アドレスに格納する。これにより、ネットワークを介して外部のコンピュータから所定アドレスにアクセスして、格納された累積利用回数の電子的なデータを参照できることになる。
【００２５】
特に、レポートとして印刷出力する場合には、ユーザにとって必要な項目のみが用紙に印刷されるため、不必要にレポートが多くなって印刷資源の無駄遣いとなることを防止できる。また、電子的なデータの生成であっても必要な項目のみが記憶されることから、メモリ資源の無駄使いやネットワークへの負荷を低減できることになる。
【００２６】
ユーザは、必要な項目の累積利用回数をタッチパネルディスプレイ２１に表示させるか、レポートとして用紙に印刷出力させるか、画像情報生成部１８によって電子的なデータとして生成させるかの切り替えを行うことができる。これは、タッチパネルディスプレイ２１で累積利用回数出力の操作を選択する場合、いずれかを選べるようにすればよい。
【００２７】
また、ユーザは、図２に示すような表示対象の項目の指定や表示順位の組み合わせを複数用意しておくことができる。すなわち、登録部１５による表示態様情報の登録で、いくつかの表示態様情報を登録できるように制御すればよい。この場合には、ユーザが累積利用回数を出力させる操作を行い際、複数の表示態様情報のうちいずれかを選択できるようにすればよい。また、複数の表示態様情報のうちいずれか１つをデフォルトとして設定できるようにしておき、累積利用回数の出力動作の際にそのデフォルトの表示態様情報を用いるようにしてもよい。
【００２８】
さらに、表示態様情報として、表示対象とするか否かおよび表示順位以外にも、態様情報を設定できるようにしてもよい。例えば、表示する項目のフォントやポイント、表示色や表示形態（斜体や太字等）を指定できるようにすれば、累積利用回数の表示（もしくは出力）の見やすさを向上できるようになる。
【図面の簡単な説明】
【００２９】
【図１】本実施形態に係る画像処理装置を説明するブロック図である。
【図２】画像処理機能と表示対象および表示順位との対応を示す図である。
【図３】表示対象の項目を指定された表示順位に表示した例を示す図である。
【符号の説明】
【００３０】
１…画像処理装置、１０…コントローラ、１１…パネルＩ／Ｆ、１２…メインＣＰＵ、１３…システムメモリ、１４…カウンタ、１５…登録部、１６…入力部Ｉ／Ｆ、１７…出力部Ｉ／Ｆ、１８…画像情報生成部、２０…操作パネル、２１…タッチパネルディスプレイ、３０…画像入力部、４０…画像出力部
【図１】
2007033755.tif 000003
【図２】
2007033755.tif 000004
【図３】
2007033755.tif 000005